(57)【要約】【課題】  流出口の流量を多くする目的で弁の内径を大きくしようとすると、弁を開放し難い、または対応出来ない場合があり、弁を開放する弁座の開閉が、フロートの自重とフロート本体による浮力を中心として成される為に、開いたと思うと閉じ、閉じたと思うと開くというように、常に半開きの状態になることが多かった。【解決手段】  ケース１００Ａ、１００Ｂ、１００Ｃ内にフロート２００Ａ、２００Ｂを収納しケース１００Ａ、１００Ｂ、１００Ｃ内に流入したドレン水をフロート２００Ａ、２００Ｂに働く浮力Ｆによって排出可能にしたドレン水の排出方法であり、ケース１００Ａ、１００Ｂ、１００Ｃに形成された流出口５０ｂに接続している弁９からの排出流量を多くする目的で弁９の内径を大きくした場合に、浮力Ｆが増加するように何等かの力を付加することによって、またはフロート２００Ａ、２００Ｂ自体の重量を軽減することによって、弁９を開放するゴム弁座８の動きを容易にした。【選択図】  図１
2006336856.tif 000002
【特許請求の範囲】
【請求項１】
ケース（１００Ａ、１００Ｂ、１００Ｃ）内にフロート（２００Ａ、２００Ｂ）を収納し前記ケース（１００Ａ、１００Ｂ、１００Ｃ）内に流入したドレン水を前記フロート（２００Ａ、２００Ｂ）に働く浮力（Ｆ）によって排出可能にしたドレン水の排出方法に於いて、前記ケース（１００Ａ、１００Ｂ、１００Ｃ）に形成された流出口（５０ｂ）に接続している弁（９）からの排出流量を多くする目的で前記弁（９）の内径を大きくした場合に、前記浮力（Ｆ）が増加するように何等かの力を付加することによって、または前記フロート（２００Ａ、２００Ｂ）自体の重量を軽減することによって、前記弁（９）を開放するゴム弁座（８）の動きを容易にしたことを特徴とするドレン水の排出方法。
【請求項２】
何等かの力を付加する手段としては、前記ケース（１００Ａ、１００Ｂ、１００Ｃ）と前記フロート（２００Ａ、２００Ｂ）の間にコイルバネ（２３）または圧縮バネ（２５）を位置させたものであることを特徴とする請求項１に記載のドレン水の排出方法。
【請求項３】
前記ケース（１００Ｃ）と前記フロート（２００Ｂ）との間に磁石（１３）を位置させることで吸引力を発生させ、前記フロート（２００Ｂ）の前記浮力（Ｆ）と前記磁石（１３）の吸引力と前記フロート（２００Ａ）の自重（Ｇ）とそれらの力の発生する位置（Ｘ、Ｙ、Ｚ）の関係と、前記ゴム弁座（８）の弾性力と前記コイルバネ（２３）の圧縮力とそれらの力の発生する位置（Ｋ）の関係を配慮したことを特徴とする請求項１または請求項２に記載のドレン水の排出方法。
【請求項４】
アーム（６、２０）を中心に一方の端部に水で浮くことが出来るフロート本体（５）と他方の端部にゴム弁座（８）を一体にし中央曲げ部に回転軸（６ａ、２０ａ）を形成したフロート（２００Ａ、２００Ｂ）と、ドレン水が流入する流入口（５０ａ）とドレン水が流出する流出口（５０ｂ）を形成したケース本体（５０）と前記流出口（５０ｂ）に接続している弁（９）と前記回転軸（６ａ、２０ａ）を位置させることで前記フロート（２００Ａ、２００Ｂ）を回動可能にするフロートブラケット（７）とを一体にしたケース（１００Ａ、１００Ｂ、１００Ｃ）を構成し、前記回転軸（６ａ、２０ａ）が前記ケース（１００Ａ、１００Ｂ、１００Ｃ）の内側の前記フロートブラケット（７）に位置することで、前記ケース（１００Ａ、１００Ｂ、１００Ｃ）の一定の位置までドレン水が流入していない場合には、前記フロート（２００Ａ、２００Ｂ）の自重（Ｇ）によって前記ゴム弁座（８）が前記弁（９）を閉鎖し、前記ケース（１００Ａ、１００Ｂ、１００Ｃ）の一定の位置以上までドレン水が流入した場合には、前記フロート本体（５）の浮力（Ｆ）によって前記ゴム弁座（８）が前記弁（９）を開放するようにした浮力式のドレントラップに於いて、前記ケース（１００Ａ、１００Ｂ、１００Ｃ）と前記フロート（２００Ａ、２００Ｂ）の間に前記浮力（Ｆ）を増加させる補助として浮力補助手段（２３、２５）を設けたことを特徴とする浮力式のドレントラップ。
【請求項５】
前記浮力補助手段（２３）は、前記ケース本体（５０）と前記フロートブラケット（７）を挟む形で調整ネジ（２１）と前記弁（９）によって一体にする中で、前記調整ネジ（２１）と前記アーム（６）の間に配設したコイルバネ（２３）によるものであることを特徴とする請求項４に記載の浮力式のドレントラップ。
【請求項６】
前記コイルバネ（２３）の圧縮力は、前記フロートブラケット（７）と前記調整ネジ（２１）の間に位置する調整座金（２４）の厚さを変更することで調整可能であることを特徴とする請求項５に記載の浮力式のドレントラップ。
【請求項７】
前記浮力補助手段（２５）は、前記ケース本体（５０）と前記フロート本体（５）の間に配設した圧縮バネ（２５）によるものであることを特徴とする請求項４に記載の浮力式のドレントラップ。
【請求項８】
前記アーム（２０）の前記フロート本体（５）と前記回転軸（２０ａ）との間の何れかの場所に磁石（１３）を配設し、前記ケース（１００Ｃ）の内側の何れかの場所に前記磁石（１３）によって吸引力を発生させる相手部材（１４、１５）を配設し、前記フロート（２００Ｂ）の前記浮力（Ｆ）と前記磁石（１３）の吸引力と前記フロート（２００Ａ）の自重（Ｇ）とそれらの力の発生する位置（Ｘ、Ｙ、Ｚ）とのモーメントの関係と、前記ゴム弁座（８）の弾性力と前記コイルバネ（２３）の圧縮力とそれらの力の発生する位置（Ｋ）とのモーメントの関係を合算することによるものであることを特徴とする請求項４ないし請求項７のいずれか１項に記載の浮力式のドレントラップ。
【請求項９】
前記相手部材（１４、１５）は、板バネ（１４）と前記板バネ（１４）を前記ケース（１００Ｃ）の内側の何れかの場所に支持している板バネ用ブラケット（１５）であることを特徴とする請求項８に記載の浮力式のドレントラップ。
【発明の詳細な説明】
【技術分野】
【０００１】  本発明は、ドレン水の排出方法および浮力式のドレントラップに関する技術であって、更に詳細に述べると、浮力の利用とそれに何等かの力を付加することで、また磁石の吸引力を利用することで、ドレントラップ内に溜まったドレン水を排出する技術に関して述べたものである。
【背景技術】
【０００２】  従来、ドレン水の排出方法および浮力式のドレントラップに関する技術としては、ケース１００Ｂの内部にフロート２００Ａを収納したものがある。【０００３】  以下、図８により従来のドレン水の排出方法および浮上式のドレントラップについて説明する。  図８において、３００Ｋはドレントラップであり、ケース１００Ｂとフロート２００Ａから構成されている。  また、ケース１００Ｂは、ケース本体５０とフロートブラケット７と弁９と調整ネジ２１とパッキン２２とＯリングを構成した手動弁４により一体に構成されている。  更に、ケース本体５０は、第一ケース１と第二ケース２とガスケット３により一体に構成され、ケース本体５０に形成されている流入口５０ａと流出口５０ｂを除いてドレン水が洩れないように完全に密閉されている。【０００４】  一方、フロート２００Ａは、フロート本体５とアーム６とゴム弁座８により一体に構成されている。  この場合、アーム６は略Ｌ字状のものであって、一端にはケース１００Ｂに形成されている流入口５０ａより内部に流入したドレン水が溜まって来ると浮力を生じさせるフロート本体５を、他端にはケース１００Ｂに形成されている流出口５０ｂに接続している弁９を開閉するゴム弁座８を構成し、曲がり部にはケース１００Ｂの内部にケース１００Ｂの一部として構成しているフロートブラケット７と繋合してフロート２００Ａ全体を回動可能にする回転軸６ａを形成している。【０００５】  従って、ケース１００Ｂ内にドレン水があまり流入していない場合には、フロート本体５に浮力も働かずフロート２００Ａの自重によってゴム弁座８が弁９に密着することで閉鎖の状態にしている。  それに対し、ケース１００Ｂ内にドレン水が沢山流入して一定の位置以上になった場合には、フロート本体５に浮力が働きその浮力によってゴム弁座８が弁９を離れることで開放の状態になる。  但し、ケース１００Ｂ内に流入している圧縮空気の圧力が弁座９に作用する力と、ゴム弁座８の弾性力も弁９の開閉に影響を与えていることも事実である。
【発明の開示】
【発明が解決しようとする課題】
【０００６】  しかしながら、このような従来の、ドレン水の排出方法および浮上式のドレントラップに関しては、以下に示すような課題があった。【０００７】  即ち、流出口の流量を多くする目的で弁の内径を大きくしようとすると、弁を開放し難い、または対応出来ない場合があった。【０００８】  また、弁を開放する弁座の開閉が、フロートの自重とフロート本体による浮力を中心として成される為に、開いたと思うと閉じ、閉じたと思うと開くというように、常に半開きの状態になることが多かった。
【課題を解決するための手段】
【０００９】  本発明は、ケース１００Ａ、１００Ｂ、１００Ｃ内にフロート２００Ａ、２００Ｂを収納し前記ケース１００Ａ、１００Ｂ、１００Ｃ内に流入したドレン水を前記フロート２００Ａ、２００Ｂに働く浮力Ｆによって排出可能にしたドレン水の排出方法に於いて、前記ケース１００Ａ、１００Ｂ、１００Ｃに形成された流出口５０ｂに接続している弁９からの排出流量を多くする目的で前記弁９の内径を大きくした場合に、前記浮力Ｆが増加するように何等かの力を付加することによって、または前記フロート２００Ａ、２００Ｂ自体の重量を軽減することによって、前記弁９を開放するゴム弁座８の動きを容易にしたことを特徴とし、更には、何等かの力を付加する手段としては、前記ケース１００Ａ、１００Ｂ、１００Ｃと前記フロート２００Ａ、２００Ｂの間にコイルバネ２３または圧縮バネ２５を位置させたものであることを特徴とし、更には、前記ケース１００Ｃと前記フロート２００Ｂとの間に磁石１３を位置させることで吸引力を発生させ、前記フロート２００Ｂの前記浮力Ｆと前記磁石１３の吸引力と前記フロート２００Ａの自重Ｇとそれらの力の発生する位置Ｘ、Ｙ、Ｚの関係と、前記ゴム弁座８の弾性力と前記コイルバネ２３の圧縮力とそれらの力の発生する位置Ｋの関係を配慮したことを特徴とすることによって、上記課題を解決したのである。【００１０】  また、本発明は、アーム６、２０を中心に一方の端部に水で浮くことが出来るフロート本体５と他方の端部にゴム弁座８を一体にし中央曲げ部に回転軸６ａ、２０ａを形成したフロート２００Ａ、２００Ｂと、ドレン水が流入する流入口５０ａとドレン水が流出する流出口５０ｂを形成したケース本体５０と前記流出口５０ｂに接続している弁９と前記回転軸６ａ、２０ａを位置させることで前記フロート２００Ａ、２００Ｂを回動可能にするフロートブラケット７とを一体にしたケース１００Ａ、１００Ｂ、１００Ｃを構成し、前記回転軸６ａ、２０ａが前記ケース１００Ａ、１００Ｂ、１００Ｃの内側の前記フロートブラケット７に位置することで、前記ケース１００Ａ、１００Ｂ、１００Ｃの一定の位置までドレン水が流入していない場合には、前記フロート２００Ａ、２００Ｂの自重Ｇによって前記ゴム弁座８が前記弁９を閉鎖し、前記ケース１００Ａ、１００Ｂ、１００Ｃの一定の位置以上までドレン水が流入した場合には、前記フロート本体５の浮力Ｆによって前記ゴム弁座８が前記弁９を開放するようにした浮力式のドレントラップに於いて、前記ケース１００Ａ、１００Ｂ、１００Ｃと前記フロート２００Ａ、２００Ｂの間に前記浮力Ｆを増加させる補助として浮力補助手段２３、２５を設けたことを特徴とし、更には、前記浮力補助手段２３は、前記ケース本体５０と前記フロートブラケット７を挟む形で調整ネジ２１と前記弁９によって一体にする中で、前記調整ネジ２１と前記アーム６の間に配設したコイルバネ２３によるものであることを特徴とし、更には、前記コイルバネ２３の圧縮力は、前記フロートブラケット７と前記調整ネジ２１の間に位置する調整座金２４の厚さを変更することで調整可能であることを特徴とし、更には、前記浮力補助手段２５は、前記ケース本体５０と前記フロート本体５の間に��設した圧縮バネ２５によるものであることを特徴とし、更には、前記アーム２０の前記フロート本体５と前記回転軸２０ａとの間の何れかの場所に磁石１３を配設し、前記ケース１００Ｃの内側の何れかの場所に前記磁石１３によって吸引力を発生させる相手部材１４、１５を配設し、前記フロート２００Ｂの前記浮力Ｆと前記磁石１３の吸引力と前記フロート２００Ａの自重Ｇとそれらの力の発生する位置Ｘ、Ｙ、Ｚとのモーメントの関係と、前記ゴム弁座８の弾性力と前記コイルバネ２３の圧縮力とそれらの力の発生する位置Ｋとのモーメントの関係を合算することによるものであることを特徴とし、更には、前記相手部材１４、１５は、板バネ１４と前記板バネ１４を前記ケース１００Ｃの内側の何れかの場所に支持している板バネ用ブラケット１５であることを特徴とすることによって、上記課題を解決したのである。
【発明の効果】
【００１１】  以上の説明から明らかなように、本発明によって、以下に示すような効果をあげることが出来る。【００１２】  第一に、ケース内にフロートを収納しケース内に流入したドレン水をフロートに働く浮力によって排出可能にしたドレン水の排出方法で、ケースに形成された流出口に接続している弁からの排出流量を多くする目的で弁の内径を大きくした場合に、浮力が増加するように何等かの力を付加することによって、またはフロート自体の重量を軽減することによって、弁を開放する際のゴム弁座の動きが容易になり、ドレン水の円滑な排出が可能となった。【００１３】  第二に、何等かの力を付加する手段として、ケースとフロートの間にコイルバネまたは圧縮バネを位置させることで、流出口の流量を多くする目的で弁の内径を大きくしようとしても、弁を開放する際のゴム弁座の動きが容易となり、ドレン水の円滑な排出が可能となった。【００１４】  第三に、浮力補助手段として、ケース本体とフロートブラケットを挟む形で調整ネジと弁によって一体にする中で、調整ネジとアームの間にコイルバネを配設し、コイルバネの圧縮力は、フロートブラケットと調整ネジの間に位置する調整座金の厚さを変更することで調整可能とすることで、流出口の流量を多くする目的で弁の内径を大きくしようとしても、弁を開放する際のゴム弁座の動きが容易となり、ドレン水の円滑な排出が可能となった。【００１５】  第四に、ケースとフロートとの間に磁石を位置させることで吸引力を発生させ、フロートの浮力と磁石の吸引力とフロートの自重とそれらの力の発生する位置の関係と、ゴム弁座の弾性力とコイルバネの圧縮力とそれらの力の発生する位置の関係を配慮することで、開いたと思うと閉じ、閉じたと思うと開くというように、常に半開きの状態になることが防止可能となった。
【発明を実施するための最良の形態】
【００１６】  以下、本発明の実施の形態を図面と共に詳細に説明する。
ここで、図１は、本願発明のドレントラップの弁を閉鎖している図であり、図２は、本願発明のドレントラップの弁を開放している図であり、図３は、本願発明のドレントラップを構成しているアームとゴム弁座を示した図であり、図４は、本願発明のドレントラップを構成している弁の近辺の詳細図であり、図５は、本願発明の別のドレントラップの弁を閉鎖している図であり、図６は、本願発明の更に別のドレントラップの弁を閉鎖している図であり、図７は、本願発明のドレントラップを構成しているフロートを中心とする力の関係を示した図である。【００１７】（第一の実施例）
図１と図２と図３と図４と図７に見られるように、３００Ａはドレントラップであり、ケース１００Ａとフロート２００Ａと両者の間に位置している浮力補助手段２３であるコイルバネ２３から構成されている。【００１８】  また、ケース１００Ａは、ケース本体５０とフロートブラケット７と弁９と調整ネジ２１と調整座金２４とパッキン２２とＯリングを構成した手動弁４により一体に構成されている。【００１９】  この場合、図４に詳細を示すように鍔を形成した弁９は、その弁９の鍔の側をケース本体５０の外側にパッキン２２を挟んで位置させ、ケース本体５０とは螺合によって結合し、鍔と反対の他端をケース本体５０の内側にネジ部を突出させている。  そして、その突出部に、鍔を形成した調整ネジ２１が、調整ネジ２１の鍔の側をケース本体５０の内側との間に調整座金２４を挟んで位置させ、弁９と螺合によって結合している。  従って、弁９は、ケース本体５０の内側のネジ部を形成している調整ネジ２１の側からケース本体５０の外側の鍔を形成しているパッキン２２の側にドレン水が流れるようになっているのである。【００２０】  尚、調整座金２４に関しては、色々の厚さのものを交換出来るように用意すると、ケース１００Ａを構成しているケース本体５０と調整座金２４と調整ネジ２１と記載の順に弁９を介して一体にしている中の調整ネジ２１と、以下に詳細に述べるフロート２００Ａを構成しているアーム６との間に位置しているコイルバネ２３の圧縮量を調整することが可能となる。  従って、コイルバネ２３の発生する圧縮力を調整することが可能となるのである。【００２１】  更に、ケース本体５０は、第一ケース１と第二ケース２とガスケット３により一体に構成され、ケース本体５０に形成されている流入口５０ａと流出口５０ｂを除いてドレン水が洩れないように完全に密閉されている。【００２２】  一方、フロート２００Ａは、中空のフロート本体５とアーム６とゴム弁座８によって一体に構成されている。  この場合、アーム６は略Ｌ字状のものであって、一端にはケース１００Ａに形成されている流入口５０ａより内部に流入したドレン水が溜まって来ると浮力Ｆを生じさせるフロート本体５を、図３に示すように他端にはケース１００Ａに形成されている流出口５０ｂに接続している弁９を開閉するゴム弁座８を構成し、曲がり部にはケース１００Ａの内部に構成しているフロートブラケット７と繋合してフロート２００Ａ全体を回動可能にする回転軸６ａを形成している。【００２３】  但し、アーム６の形状に関しては、略Ｌ字状に限定する必要は無く、略コ字状やその他の形状のものも考えられる。  更に、アーム６の曲がり部の角度に関しては、９０度以上でも９０度以下でも構わない。  加えて、アーム６に関しては、ゴム弁座８が弁９を閉鎖している際には、水面Ｌに対して平行に位置することは考えられるが、平行でなくても構わない。  また、アーム６が平らな板である略Ｉ字状のものにして、ゴム弁座８と弁９を同軸に位置させることはせずに、直角方向に位置させることも考えられる。【００２４】  ここで、ケース１００Ａにドレン水が図１に示すように流入したり図２に示すように流出したりすることによって、フロート２００Ａ全体が回転軸��ａを中心に回動し、ゴム弁座８が弁９を開閉することが出来るようになっているのである。  その際、ゴム弁座８が弁９を閉鎖している時点では、弾性力を発生している。【００２５】  尚、コイルバネ２３による圧縮力とゴム弁座８による弾性力は、ゴム弁座８が弁９を閉鎖している時点では圧縮力と弾性力の両方を発生しているが、ゴム弁座８が弁９を開放している時点ではコイルバネ２３やゴム弁座８が伸びきった状態になって圧縮力や弾性力を全く発生しない。  但し、途中の過程ではコイルバネ２３による圧縮力だけを発生することもあり得る。【００２６】  本発明による、ドレン水の排出方法および浮力式のドレントラップは前述したように構成されており、以下にその動作について説明する。【００２７】  先ず、ドレントラップ３００Ａのケース１００Ａ内に、ドレン水が流入口５０ａより流入する。  この場合には、ケース１００Ａ内にドレン水が流入していない時または流入している量が少ない時には、図１や図４に示すようにフロート２００Ａの自重Ｇと弁９の流路の断面積に働く圧縮空気圧によってアーム６に形成された回転軸６ａを中心として、ゴム弁座８が弁９に密着して閉鎖しているのである。【００２８】  但し、ゴム弁座８が弁９に密着している時点では、コイルバネ２３による圧縮力とゴム弁座８による弾性力は両方共発生しているが、ゴム弁座８が弁９を開放すると、すぐにゴム弁座８による弾性力は働かなくなり、更に離れるとコイルバネ２３による圧縮力も働かなくなるのである。【００２９】  一方、ケース１００Ａ内のドレン水が増加していくと、図２に示すように中空のフロート本体５がドレン水を押しのけたぶん浮力Ｆが生じる。  即ち、図７で説明すると、フロート本体５は球である為に、球の中心に向けて浮力Ｆが上向きに働く。  それに対し、フロート２００Ａ全体の自重Ｇが常に下向きに働いている。【００３０】  ここに、図７より［数１］の数式を示す。  但し、図７を第一の実施例に当てはめてみた場合、調整ネジ１０とナット１１と磁石着座シート１２と磁石１３を除いたものが該当するものになる。【００３１】
【数１】
Ｍ  ＝  フロート本体５の浮力Ｆ×Ｓｉｎα×Ｘ
−  フロート２００Ａの自重Ｇ×Ｓｉｎβ×Ｚ
＋  （ゴム弁座８の弾性力  ＋  コイルバネ２３の圧縮力）×Ｋ
−  弁９の流路の断面積×圧縮空気圧×Ｋ
但し、Ｘ：回転軸６ａと、フロート本体５の浮力Ｆの中心からアーム６またはその延長上迄の最短の位置の間の距離
Ｚ：回転軸６ａと、フロート２００Ａの自重Ｇの中心からアーム６またはその延長上迄の最短の位置の間の距離
Ｋ：回転軸６ａと、アーム６上でのゴム弁座８中心迄の距離
α：浮力Ｆの発生する垂直線とアーム６との間の角度
β：自重Ｇの発生する垂直線とアーム６との間の角度
この場合、現実的なものとしては、浮力Ｆと自重Ｇとアーム６は同一平面上に在る場合が多く、その場合はα＝βとなる
【００３２】  従って、Ｍの値が負の時、図１や図４に示しようにゴム弁座８が弁９を閉鎖し、Ｍの値が正の時、図２や図７に示しようにゴム弁座８が弁９を開放している。  即ち、前述の条件を満たすことが出来るのは、フロート本体５の浮力Ｆの大きさ、フロート２００Ａの自重Ｇ、ゴム弁座８の弾性力、コイルバネ２３の圧縮力、弁９の流路の断面積、圧縮空気圧、および回転軸６ａ間と前述の力が作用している位置との各距離Ｘ、Ｚ、Ｋによって色々と変化するのである。  また、ドレン水の増加に応じてフロート本体５の浮力Ｆやフロート２００Ａの自重Ｇが、それに伴う垂直線とアーム６との角度α、βによっても色々と変化するのである。
【００３３】（第二の実施例）
図５と図７に見られるように、３００Ｂはドレントラップであり、ケース１００Ｂとフロート２００Ａと両者の間に位置している浮力補助手段２５でもある圧縮バネ２５から構成されている。
【００３４】  この場合、ケース１００Ｂに関しては、［背景技術］に示した図８の従来の技術と同じで
2006336856.tif 000003
説明は省略する。
【００３５】  従って、第二の実施例が第一の実施例と違う点は、浮力補助手段２５としての圧縮バネ２５が、ケース１００Ｂを構成しているケース本体５０とフロート２００Ａを構成しているフロート本体５の間に位置していることである。  尚、圧縮バネ２５に関しては、一端はケース本体５０に固定しているが、他端はフロート本体５に固定しないで浮力Ｆによってフロート本体５が上昇した際に離間して全く圧縮力が働かないようにしても構わないし、場合によっては他端をフロート本体５に固定して逆に途中から引張力が働くようにしても構わない。
【００３６】  本発明による、ドレン水の排出方法および浮力式のドレントラップは前述したように構成されており、以下にその動作について説明する。
【００３７】  先ず、ドレントラップ３００Ｂのケース１００Ｂ内に、ドレン水が流入口５０ａより流入する。  この場合には、ケース１００Ｂ内にドレン水が流入していない時または流入している量が少ない時には、フロート２００Ａの自重Ｇと弁９の流路の断面積に働く圧縮空気圧によってアーム６に形成された回転軸６ａを中心として、ゴム弁座８が弁９に密着して閉鎖しているのである。
【００３８】  但し、ゴム弁座８が弁９に密着している時点では、圧縮バネ２５による圧縮力とゴム弁座８による弾性力は発生しているが、ゴム弁座８が弁９を開放すると、すぐにゴム弁座８による弾性力は働かなくなり、更に離れると圧縮バネ２５による圧縮力も働かなくなるのである。  尚、圧縮バネ２５による圧縮力に関しては、弁９の近くに位置している第一の実施例のコイルバネ２３とは異なり、弁９を開放してかなりゴム弁座８との間が離れても圧縮力が働くようにすることは可能である。  更に、バネが伸びきって圧縮力が働かなくなってから引張力が働くようにすることも可能である。
【００３９】  一方、ケース１００Ｂ内のドレン水が増加していくと、中空のフロート本体５がドレン水を押しのけたぶん浮力Ｆが生じる。  即ち、図７で説明すると、フロート本体５は球である為に、球の中心に向けて浮力Ｆが上向きに働く。  それに対し、フロート２００Ａ全体の自重Ｇが常に下向きに働いている。
【００４０】  ここに、図７より［数２］の数式を示す。  但し、図７を第二の実施例に当てはめてみた場合、調整ネジ１０とナット１１と磁石着座シート１２と磁石１３を除き、更に図７には具体的に示していないが、コイルバネ２３の圧縮力に替えてフロート本体５下部中心に垂直方向の上向きに圧縮バネ２５の圧縮力が働いていることである。
【００４１】
【数２】
Ｍ  ＝  フロート本体５の浮力Ｆ×Ｓｉｎα×Ｘ
−  フロート２００Ａの自重Ｇ×Ｓｉｎβ×Ｚ
＋  ゴム弁座８の弾性力×Ｋ
−  弁９の流路の断面積×圧縮空気圧×Ｋ
＋  圧縮バネ２５の圧縮力×Ｓｉｎα×回転軸６ａと、圧縮バネ２５の圧縮力の中心からアーム６またはその延長上迄の最短の位置の間の距離
但し、Ｘ：回転軸６ａと、フロート本体５の浮力Ｆの中心からアーム６またはその延長上迄の最短の位置の間の距離
Ｚ：回転軸６ａと、フロート２００Ａの自重Ｇの中心からアーム６またはその延長上迄の最短の位置の間の距離
Ｋ：回転軸６ａと、アーム６上でのゴム弁座８中心迄の距離
α：浮力Ｆの発生する垂直線とアーム６との間の角度
β：自重Ｇの発生する垂直線とアーム６との間の角度
この場合、現実的なものとしては、浮力Ｆと自重Ｇとアーム６は同一平面上に在る場合が多く、その場合はα＝βとなる
【００４２】  従って、Ｍの値が負の時、図５に示すようにゴム弁座８が弁９を閉鎖し、Ｍの値が正の時、図７に示すようにゴム弁座８が弁９を開放している。  即ち、前述の条件を満たすことが出来るのは、フロート本体５の浮力Ｆの大きさ、フロート２００Ａの自重Ｇ、ゴム弁座８の弾性力、コイルバネ２５の圧縮力、弁９の流路の断面積、圧縮空気圧、および回転軸６ａ間と前述の力が作用している位置との各距離Ｘ、Ｚ、Ｋによって色々と変化するのである。  また、ドレン水の増加に応じてフロート本体５の浮力Ｆやフロート２００Ａの自重Ｇが、それに伴う垂直線とアーム６との角度α、βによっても色々と変化するのである。
【００４３】（第三の実施例）
図６と図７に見られるように、３００Ｃはドレントラップであり、ケース１００Ｃとフロート２００Ｂと両者の間に位置している浮力補助手段２３でもある圧縮バネ２３から構成されている。
【００４４】  この場合、ケース１００Ｃに関しては、図７に示すように図１の第一の実施例のケース１００Ａの手動弁４に替えてステー１６とワッシャー１８とナット１９と板バネ用ブラケット１５と固定ネジ１７と板バネ１４を構成したものであり、フロート２００Ｂに関しては、第一の実施例のフロート２００Ａの回転軸６ａを形成したアーム６に替えて回転軸２０ａを形成したアーム２０を構成し、更に調整ネジ１０とナット１１と磁石着座シート１２と磁石１３を付加し構成したものである。
【００４５】  従って、第三の実施例が第一の実施例と違う点は、第一の実施例に加えて、フロート２００Ｂを構成しているアーム２０のフロート本体５と回転軸２０ａの間に位置している磁石１３と板バネ１４による吸引力を期待することによって、ゴム弁座８が弁９を開いたと思うと閉じて閉じたと思うと開くというように、常に半開きの状態になることが防止可能としたことである。
【００４６】  所で、フロート２００Ｂを構成している磁石１３は、アーム２０を間にしてナット１１と磁石着座シート１２を位置させ、調整ネジ１０によって三者を螺合によって固定させ、磁石１３と磁石着座シート１２が磁力によって吸着されることで両者を固定していることである。  更に、調整ネジ１０は、ケース１００Ｃを構成している板バネ１４との間隔を調整することが可能となっているのである。
【００４７】  また、板バネ１４は、略Ｌ字状の形状をしていて、固定ネジ１７によって略Ｊ字状の板バネ用ブラケット１５に固定され、板バネ用ブラケット１５はワッシャー１８とナット１９によってステー１６に固定されている。  尚、ステー１６はケース本体５０の下部と螺合によって固定されているのである。  この場合、磁石１３はフロート２００Ｂの側の構成となっているが、ケース１００Ｃの側の構成にすることも考えられる。
【００４８】  但し、板バネ１４の形状に関しては、略Ｌ字状に限定される必要は無く、平らな板である略Ｉ字状やその他の形状のものも考えられる。  更に、板バネ用ブラケット１５の形状に関しても、略Ｊ字状に限定される必要は無く、略Ｌ字状やその他の形状のものも考えられる。
【００４９】  ここで、板バネ用ブラケット１５は、板バネ１４が磁石１３の磁力によって吸引される際に、板バネ１４の略Ｌ字を形成している直角部が吸引によって９０度以上の角度になろうとするのを防止する意味で拘束手段を兼ねているのである。  従って、この吸引力が浮力Ｆより大きい間は、即ちまだ浮力Ｆが小さいゴム弁座８が弁９を開放しようとする当初に於いては、この吸引力によって弁９の閉鎖を保持しているのである。
【００５０】  本発明による、ドレン水の排出方法および浮力式のドレントラップは前述したように構成されており、以下にその動作について説明する。
【００５１】  先ず、ドレントラップ３００Ｃのケース１００Ｃ内に、ドレン水が流入口５０ａより流入する。  この場合には、ケース１００Ｃ内にドレン水が流入していない時または流入している量が少ない時には、フロート２００Ｂの自重Ｇと弁９の流路の断面積に働く圧縮空気圧によってアーム２０に形成された回転軸２０ａを中心として、ゴム弁座８が弁９に密着して閉鎖しているのである。同時に、ゴム弁座８が弁９に密着して閉鎖している間は、磁石１３の吸引力が付加されているのである。
【００５２】  但し、ゴム弁座８が弁９に密着している時点では、コイルバネ２３による圧縮力とゴム弁座８による弾性力は発生しているが、ゴム弁座８が弁９を開放すると、すぐにゴム弁座８による弾性力は働かなくなり、更に離れるとコイルバネ２３による圧縮力も働かなくなるのである。
【００５３】  一方、ケース１００Ｃ内のドレン水が増加していくと、中空のフロート本体５がドレン水を押しのけたぶん浮力Ｆが生じる。  即ち、図７で説明すると、フロート本体５は球である為に、球の中心に向けて浮力Ｆが上向きに働く。  それに対し、フロート２００Ｂ全体の自重Ｇが常に下向きに働いている。
【００５４】  ここに、図７より［数３］の数式を示す。
【００５５】
【数３】
Ｍ  ＝  フロート本体５の浮力Ｆ×Ｓｉｎα×Ｘ
−  フロート２００Ｂの自重Ｇ×Ｓｉｎβ×Ｚ
−  磁石１３の吸引力×Ｙ
＋  （ゴム弁座８の弾性力  ＋  コイルバネ２３の圧縮力）×Ｋ
−  弁９の流路の断面積×圧縮空気圧×Ｋ
但し、Ｘ：回転軸２０ａと、フロート本体５の浮力Ｆの中心からアーム２０またはその延長上迄の最短の位置の間の距離
Ｙ：回転軸２０ａと、アーム２０上での磁石１３中心迄の距離
Ｚ：回転軸２０ａと、フロート２００Ｂの自重Ｇの中心からアーム６またはその延長上迄の最短の位置の間の距離
Ｋ：回転軸２０ａと、アーム２０上でのゴム弁座８中心迄の距離
α：浮力Ｆの発生する垂直線とアーム２０との間の角度
β：自重Ｇの発生する垂直線とアーム２０との間の角度
この場合、現実的なものとしては、浮力Ｆと自重Ｇとアーム２０は同一平面上に在る場合が多く、その場合はα＝βとなる
【００５６】  従って、Ｍの値が負の時、図６に示すようにゴム弁座８が弁９を閉鎖し、Ｍの値が正の時、図７に示すようにゴム弁座８が弁９を開放している。  即ち、前述の条件を満たすことが出来るのは、フロート本体５の浮力Ｆの大きさ、フロート２００Ａの自重Ｇ、磁石１３の吸引力、ゴム弁座８の弾性力、コイルバネ２３の圧縮力、弁９の流路の断面積、圧縮空気圧、および回転軸６ａ間と前述の力が作用している位置との各距離Ｘ、Ｚ、Ｋを設定することによって色々と変化するのである。  また、ドレン水の増加に応じてフロート本体５の浮力Ｆやフロート２００Ｂの自重Ｇが、それに伴う垂直線とアーム６との角度α、βによっても色々と変化するのである。
【００５７】  尚、図６に示すように第三の実施例に見られる図１の第一の実施例に磁石１３及びそれに関係する構成や機能を付加した発明に関しては、応用例として図５の第二の実施例に磁石１３及びそれに関係する構成や機能を付加した発明も考えられる。
【００５８】  また、浮力Ｆを増加させる浮力補助手段２３、２５としてのコイルバネ２３と圧縮バネ２５に替えて、略Ｌ字状のアーム６、２０に弾性力のある材料を使用し、９０度より数度くらい少し大きい角度に設定することにより、浮力Ｆを助ける方向に作用させることも可能である。
【産業上の利用可能性】
【００５９】  ケースに形成された流出口に接続している弁からの排出流量を多くする目的で弁の内径を大きくした場合に、浮力が増加するように何等かの力を付加することによって、またはフロート自体の重量を軽減することによって、弁を開放する際のゴム弁座の動きが容易になった。
【図面の簡単な説明】
【００６０】
【図１】  本願発明のドレントラップの弁を閉鎖している図
【図２】  本願発明のドレントラップの弁を開放している図
【図３】  本願発明のドレントラップを構成しているアームとゴム弁座を示した図
【図４】  本願発明のドレントラップを構成している弁の近辺の詳細図
【図５】  本願発明の別のドレントラップの弁を閉鎖している図
【図６】  本願発明の更に別のドレントラップの弁を閉鎖している図
【図７】  本願発明のドレントラップを構成しているフロートを中心とする力の関係を示した図
【図８】  従来のドレントラップの弁を閉鎖している図
【符号の説明】
【００６１】１・・・・・・・第一ケース
２・・・・・・・第二ケース
３・・・・・・・ガスケット
４・・・・・・・手動弁
５・・・・・・・フロート本体
６・・・・・・・アーム
６ａ・・・・・・回転軸
７・・・・・・・フロートブラケット
８・・・・・・・ゴム弁座
９・・・・・・・弁
１０・・・・・・調整ネジ
１１・・・・・・ナット
１２・・・・・・磁石着座シート
１３・・・・・・磁石
１４・・・・・・板バネ（相手部材）
１５・・・・・・板バネ用ブラケット（相手部材）
１６・・・・・・ステー
１７・・・・・・固定ネジ
１８・・・・・・ワッシャー
１９・・・・・・ナット
２０・・・・・・アーム
２０ａ・・・・・回転軸
２１・・・・・・調整ネジ
２２・・・・・・パッキン
２３・・・・・・コイルバネ（浮力補助手段）
２４・・・・・・調整座金
２５・・・・・・圧縮バネ（浮力補助手段）
５０・・・・・・ケース本体
５０ａ・・・・・流入口
５０ｂ・・・・・流出口
１００Ａ・・・・ケース
１００Ｂ・・・・ケース
１００Ｃ・・・・ケース
２００Ａ・・・・フロート
２００Ｂ・・・・フロート
３００Ａ・・・・ドレントラップ
３００Ｂ・・・・ドレントラップ
３００Ｃ・・・・ドレントラップ
３００Ｋ・・・・ドレントラップ
Ｆ・・・・・・・浮力
Ｇ・・・・・・・自重
Ｋ・・・・・・・回転軸と、アーム上でのゴム弁座中心迄の距離
Ｌ・・・・・・・水面
Ｘ・・・・・・・回転軸と、フロート本体の浮力の中心からアームまたはその延長上迄の最短の位置の間の距離
Ｙ・・・・・・・回転軸と、アーム上での磁石中心迄の距離
Ｚ・・・・・・・回転軸と、フロート自重の中心からアームまたはその延長上迄の最短の位置の閏の距離
α・・・・・・・浮力の発生する垂直線とアームとの間の角度
β・・・・・・・自重の発生する垂直線とアームとの間の角度
【図１】
2006336856.tif 000004
【図２】
2006336856.tif 000005
【図３】
2006336856.tif 000006
【図４】
2006336856.tif 000007
【図５】
2006336856.tif 000008
【図６】
2006336856.tif 000009
【図７】
2006336856.tif 000010
【図８】
2006336856.tif 000011